(57)【要約】【課題】本発明は、電池を使用する電子機器に用いる電池収容装置に関し、電池の新旧交換など電池を着脱する際に、その電池方向を規制して所定の方向しかできない使用に便利な電池収容装置を提供することを目的とする。【解決手段】電池収容部３の上面開口部３Ａの両端にそれぞれ形状が異なり電池１の着脱方向を規制する正極側の庇状突起４Ａと負極側の庇状突起４Ｂとの一対の庇状突起４を一体に形成したものであり、一対の庇状突起４により電池１を着脱する際に所定の方向にしかできないものである。【選択図】図１
2005141961.tif 000002
【特許請求の範囲】
【請求項１】
円筒状の本体の一方に突状の正極と他方に平状の負極の電極を有する電池を着脱自在に収容できる上面開口部を有する電池収容部と、この電池収容部の所定の位置に前記電池の電極に対向し配置され少なくともその一方が弾性を有する電極端子とからなり、
前記電池収容部の上面開口部の両端に前記電池の着脱方向を規制し夫々の形状が異なる庇状突起を一体に形成し、前記電池を所定の方向にのみ着脱できるように構成した電池収容装置。
【請求項２】
庇状突起を、電池の正極側を凹形状の庇状突起と、負極側を凸形状、または凹形状の庇状突起とから構成した請求項１記載の電池収容装置。
【請求項３】
庇状突起の上面開口部を電池の全長より短く形成した請求項１記載の電池収容装置。
【請求項４】
正極側の庇状突起を、電池の正極と電池本体の外形の間に形成した請求項２記載の電池収容装置。
【発明の詳細な説明】
【技術分野】
【０００１】
本発明は、各種映像音響機器類の遠隔操作に使用され電池で駆動するリモコン送信機等に用いられる電池収容装置に関するものである。
【背景技術】
【０００２】
近年、各種映像音響機器類の遠隔操作に使用されるリモコン送信機や情報端末類の携帯機器等の電子機器は省電力化が進むなか、これら電子機器の電源として円筒状の電池を用い、その電池を着脱（挿着と脱着のこと）自在に収容できる電池収容装置を備えたものが多くなっている。
【０００３】
このような従来の電池収容装置について、特に電池の収容形態について説明する。
【０００４】
まず、電池収容装置に用いる電池としては、アルカリ乾電池やマンガン乾電池などの日本工業規格に規定され、一般的に、その外形寸法で単３形などと通称を区分しているものである。
【０００５】
これらの電池は内部容量（以降、電池電圧と記載する）を外部に引出すために円筒状の本体の一方に突状の正極と他方に平状の負極の電極を有して、これら電極の形状を異ならせると共に、その外形に電極を区分するための＋，−などの表示をしている。
【０００６】
そして、前記電池収容装置は、前記電池を着脱自在に収容できる電池収容部を設けており、この電池収容部には前記電池電圧を外部に引出すための前記電池の正極、負極の２つの電極に接触する一対の電極端子を備えている。
【０００７】
この一対の電極端子は電池の２つの電極に対向させ少なくとも一方が板状の金属板でバネ形状や細棒状の金属でスプリング形状に加工されて弾性を有し、他方の電極端子方向に前記電池を付勢して電池の各電極に電気的に接触するように前記電池収容部の所定の位置に配置されている。
【０００８】
なお、前記電池収容部の底面には電池の外形形状を模した、いわゆる電池マークを表示するなどして前記電池の挿着方向を明示している。
【０００９】
また、前記電池収容装置は、その落下などで電池収容部に挿着された電池が容易に飛出さないように、前記電池収容部の上方開口部を覆うように蓋体を備え、この蓋体は前記電池収容部とで係合するように爪形状などの係止部を有して、電池収容装置が構成されているものであった。
【００１０】
以上の構成において、電池の新旧交換などは、まず蓋体の係止部を開放して電池収容部の上方開口部を露出させ、前記電池収容部の旧電池を脱着（取出）して、新しい電池を挿着し再び蓋体を電池収容部に係合させるもので、使用者による電池の着脱方向は正極、負極のいずれからも可能であった。
【００１１】
また、電池の着脱は電池の新旧交換のみに限るものではなく、電池収容装置の落下などで電池収容部に挿着された電池が飛出した際など、使用中の電池を少なからず頻繁に着脱するが、特に電池の脱着の際、使用者により電池を無理抜きされるなどして、電池の電極が電極端子により傷ついてこの間の接触抵抗が増えて発熱したり、電極端子が変形するなどのことから、弾性を有する電極端子の上方に庇を設けて、使用者による電池の無理抜きなどを困難にして、弾性を有する電極端子の変形防止を図るものが提案されている。
【００１２】
なお、この出願の発明に関連する先行技術文献情報としては、例えば、特許文献１が知られている。
【特許文献１】特開平８−７６１８１号公報
【発明の開示】
【発明が解決しようとする課題】
【００１３】
しかしながら上記従来の電池収容装置においては、電池の着脱は正極、負極のいずれからも可能であり、電池方向を間違っても操作するまで気づくことはなく、また電池を正しい方向に挿着し直さなければならないという課題があった。
【００１４】
本発明は、このような従来の課題を解決するものであり、電池を着脱する際に、その電池方向を間違うことのない使用に便利な電池収容装置を提供することを目的とする。
【課題を解決するための手段】
【００１５】
上記目的を達成するために本発明は、以下の構成を有するものである。
【００１６】
本発明の請求項１に記載の発明は、電池収容部の上面開口部の両端に夫々の形状が異なる庇状突起を一体に形成したものであり、庇状突起で前記電池の着脱方向を規制できるため、所定の方向のみ着脱できるという作用を有する。
【００１７】
請求項２に記載の発明は、請求項１記載の発明において、庇状突起を、電池の正極側を凹形状の庇状突起と、負極側を凸形状、または凹形状の庇状突起とから構成したものであり、電池を着脱する際に所定の方向のみ着脱できるという作用を有する。
【００１８】
請求項３に記載の発明は、請求項１記載の発明において、庇状突起の上面開口部を電池の全長より短く形成したものであり、挿着された電池が容易に飛出すことはないという作用を有する。
【００１９】
請求項４に記載の発明は、請求項２記載の発明において、正極側の庇状突起を、電池の正極と電池本体の外形の間に形成したものであり、電池を着脱する際に所定の方向のみ着脱できて、その反対の方向には着脱できないという作用を有する。
【発明の効果】
【００２０】
以上のように本発明によれば、電池収容部に電池を着脱する際に、その電池の着脱方向を間違うことがないという有利な効果が得られる。
【発明を実施するための最良の形態】
【００２１】
以下、本発明の実施の形態について、図１〜図６を用いて説明する。
【００２２】
（実施の形態）
実施の形態を用いて、本発明の請求項１〜４記載の発明について説明する。
【００２３】
図１は本発明の一実施の形態による電池収容装置の要部断面図であり、同図において、１は円筒状の本体１Ａの両端に正極１Ｂ、負極１Ｃを備えた電池、２は電池１の正極１Ｂ、負極１Ｃに対向した正極側の電極端子２Ａ、負極側の電極端子２Ｂの一対の電極端子である。
【００２４】
そして、３は電池１を着脱自在に収容できる電池収容部であり、この電池収容部３には電池１の電池電圧を外部に引出すため電池１の正極１Ｂ、負極１Ｃに電気的に接触するように、細棒状の金属をスプリング状に形成された負極側の電極端子２Ｂと、この負極側の電極端子２Ｂで電池１は付勢されて正極側の電極端子２Ａに接触する一対の電極端子２を所定の位置に配置できるように形成されている。
【００２５】
また、４は電池収容部３の上面開口部３Ａの両端に電池１の全長より短く一体に形成された一対の庇状突起であり、庇状突起４は電池１の正極側の庇状突起４Ａと、電池１の負極側の庇状突起４Ｂとから構成している。
【００２６】
ここで、図２の電池収容装置の平面図において、一対の庇状突起は正極側の庇状突起４Ａを電池１の正極１Ｂは通過でき、電池１の負極１Ｃは通過できない状態に凹形状に、負極側の庇状突起４Ｂを電池１の本体１Ａの上面に大きくせり出し、上面に開口４Ｃを有する状態に凹形状に形成している。
【００２７】
図１の負極側の庇状突起４Ｂは電池１の本体１Ａの上面に大きくせり出す状態に凸形状に形成している。
【００２８】
さらに、図３は図２における正極側の庇状突起４ＡのＡ−Ａ断面図であり、正極側の庇状突起４Ａを、電池１の正極１Ｂと電池本体１Ａの外形の間に形成している。
【００２９】
また、図４は図２における負極側の凹形状の庇状突起４ＢのＢ−Ｂ断面図であり、図１に示した凸形状の庇状突起４Ｂと異なるのは、上面に開口を設け凹形状としたもので、その開口幅ｗ２を電池１の外径Φ１より小さくすれば良く、こうすることで、電池１の上方向への移動距離は凸形状の庇状突起４Ｂ（電池１上面に庇部開口がない）と同じにしながら、凸形状の庇状突起４Ｂに比較してその高さをｈ２だけ低くできるものである。
【００３０】
ここで、一対の庇状突起４の天面には電池１の電極を区分するための＋，−などの表示（図２）をするのが好ましい。
【００３１】
以上の構成において、電池の新旧交換などにおける電池の着脱形態の挿着方法の動作について説明する。
【００３２】
図５、６は、電池の挿着方向を示す模式図であり、同図５は正規の挿着方向（以後、正方向と記載する）、同図６は正方向の逆の挿着方向（以後、誤方向と記載する）を示している。
【００３３】
まず、図５の正方向での挿着動作は、電池収容部３に対し電池１を左斜め上方の→方向から負極１Ｃ（図の右側）を先に挿入しつつ負極側の庇状突起４Ｂの先端で規制を受けながら負極１Ｃが負極側の電極端子２Ｂに達する。
【００３４】
さらに、電池１を負極側の電極端子２Ｂの付勢力に抗って挿入しつづけ、負極側の電極端子２Ｂの弾性限界位置に到ると、電池１の右方向への挿入の動きは自然に止まり、電池１の正極１Ｂが正極側の庇状突起４Ａの凹部を通過できる隙間が確保できた時点で電池１を左斜め上方の→方向から略直角の↓方向に押圧するようにして電池収容部３に収容する。
【００３５】
そして、収容された電池１は負極側の電極端子２Ｂの付勢力によって移動し、電池１の正極１Ｂと正極側の電極端子２Ａとが電気的に接触するものである。
【００３６】
次に、図６の誤方向での挿着動作は、電池収容部３に対し電池１を左斜め上方の→方向から正極１Ｂ（図６の右側）を先に挿入することであり、正極１Ｂを先に挿入しつつ負極側の庇状突起４Ｂの先端で規制を受けながら負極側の電極端子２Ｂに達する。
【００３７】
さらに、電池１を負極側の電極端子２Ｂの付勢力に抗って挿入しつづけても、電池１の負極１Ｃが正極側の庇状突起４Ａを通過できる隙間が確保できないため電池１を電池収容部３に収容することはできない。
【００３８】
また、電池１の誤方向の挿着動作として、電池収容部３に対し電池１を右斜め上方から負極１Ｃ（または正極１Ｂ）を先に挿入することが考えられるが、後に挿入される正極１Ｂ（または負極１Ｃ）は負極側の庇状突起４Ｂが電池１の本体１Ａの上面に大きくせり出す状態に凸形状または凹形状に形成されているため、電池１を電池収容部３に収容することはできない。
【００３９】
なお、上記の説明では電池の着脱形態の挿着方法についてのみ説明したが、脱着方法は挿着方法の逆の手順、つまり電池の正極１Ｂ側からしかできないことが容易に理解できるので説明を簡略化する。
【００４０】
このように本実施の形態によれば、電池収容部の上面開口部の両端に夫々の形状が異なる庇状突起を一体に形成することによって、庇状突起で前記電池の着脱方向を規制できるため、電池を着脱する際に、電池１の正方向では着脱でき、誤方向では着脱できない電池収容装置を得ることができるものである。
【００４１】
また、庇状突起を正極側を凹形状、負極側を凸形状または凹形状とすることで、収容する電池の外形（突状の正極）に相似できて、使用者が認識しやすい。
【００４２】
さらに、庇状突起の形成する上面開口部を電池の全長より短くすることで、電池の着脱方向があることを使用者に視認的にも認識させやすいと共に、挿着された電池が容易に飛出さなくすることができるものである。
【００４３】
また、正極側の庇状突起を、電池の正極と電池本体の外形の間に形成することで、電池の正極のみ正極側の電極端子に接触することができる。
【００４４】
なお、従来技術では電池収容部を覆う蓋体は必須であるが、蓋体は電池収容装置の落下などで係止部を破損して使用できなくなったり、電池交換の際に紛失したりして、蓋体がないと電池収容部に収容した電池が電池収容装置から容易に外れやすく不便であるが、本願の場合、蓋体は必須ではなく蓋体が無くなったとしても電池収容部に収容した電池が容易に外れないようにできて使用に便利である。
【００４５】
また、本願の電池収容装置は電子機器の本体に一体に設けても、その実施は可能である。
【産業上の利用可能性】
【００４６】
本発明による電池収容装置は、その電池収容部に電池を着脱する際に、その電池の着脱方向を間違うことがないという作用を有し、各種映像音響機器類の遠隔操作に用いられ電池で駆動するリモコン送信機などの電池収容装置を用いた電子機器等に有用である。
【図面の簡単な説明】
【００４７】
【図１】本発明の一実施の形態による電池収容装置の要部断面図
【図２】同電池収容装置の平面図
【図３】同正極側の庇状突起のＡ−Ａ断面図
【図４】同負極側の庇状突起のＢ−Ｂ側面図
【図５】同電池の挿着の正方向を示す模式図
【図６】同電池の挿着の誤方向を示す模式図
【符号の説明】
【００４８】
１  電池
２  電極端子
３  電池収容部
４  庇状突起
４Ａ  正極側の庇状突起
４Ｂ  負極側の庇状突起
【図１】
2005141961.tif 000003
【図２】
2005141961.tif 000004
【図３】
2005141961.tif 000005
【図４】
2005141961.tif 000006
【図５】
2005141961.tif 000007
【図６】
2005141961.tif 000008